(57)【特許請求の範囲】
【請求項１】
車両又は航空機等のためのシートであって、シート部分と背もたれ部分とが設けられており、シートの長手方向中心平面の両側においてシート部分の長手方向側にそれぞれシート部分支持部材が配置されており且つ背もたれ部分の長手方向側にそれぞれ背もたれ部分支持部材が配置されており、これらのシート部分支持部材及び背もたれ部分支持部材が、シートを利用する乗客に側方保持を与えるようになっている形式のものにおいて、
シート（１）のシート部分支持部材（７，８）も背もたれ部分支持部材（９，１０）も調節可能に構成されており、背もたれ部分支持部材（９，１０）が、背もたれ部分（３）の長手方向（Ｂ‐Ｂ）で延びる旋回軸線（１４，１５）を介して調節可能に、旋回軸線（１４，１５）の長手方向で間隔をおかれたヒンジ（１８，１９；２０，２１）に支承されており、ヒンジ（１８，１９）間で背もたれ部分（３）の長手方向側が、シート（１）の長手方向中心平面（４）に向かって延びるくびれ（２２，２３）を有しており、背もたれ部分支持部材（９，１０）がヒンジ（１８，１９）間に、背もたれ部分（３）から離反した切欠き（２４，２５）を有していることを特徴とする、車両又は航空機等のためのシート。
【請求項２】
シート部分支持部材（７，８）が、シート（１）に対して横方向で延びる旋回軸線（１１）を介して調節可能である請求項１記載のシート。
【請求項３】
旋回軸線（１１）が、シート部分（２）の横方向で延びる前方の制限部（１２）に対して比較的僅かな間隔（Ａｇ）をおいて配置されており、シート部分支持部材（７）が第１の沈み込んだ位置（Ｓｖ）から第２の突出した位置（Ｓａ）へ調節可能であり且つ逆に第２の位置から第１の位置へ調節可能である、請求項２記載のシート。
【請求項４】
シート部分支持部材（７，８）が、沈み込んだ位置（Ｓｖ）ではシート部分（２）のシートクッション高さ（Ｓｋｈ）の範囲内に位置している、請求項３記載のシート。
【請求項５】
シートがシートの長手方向の位置調節に役立つ調節レバーを有しており、シート部分支持部材（７，８）間のシート部分（２）に、前記調節レバー（２７）を収容するための、前方の制限部（１２）に向かって開いた切欠き（２６）が設けられている、請求項１記載のシート。
【請求項６】
調節レバー（２７）が切欠き（２６）に沈められて収容されている、請求項５記載のシート。
【請求項７】
シート部分支持部材（７，８）と背もたれ部分支持部材（９，１０）が電気式、液圧式、又は空圧式によって調節可能である、請求項１記載のシート。
【発明の詳細な説明】
【０００１】
【発明の属する技術分野】
本発明は、車両又は航空機等のためのシートであって、シート部分と背もたれ部分とが設けられており、シートの長手方向中心平面の両側においてシート部分の長手方向側にそれぞれシート部分支持部材が配置されており且つ背もたれ部分の長手方向側にそれぞれ背もたれ部分支持部材が配置されており、これらのシート部分支持部材及び背もたれ部分支持部材が、シートを利用する乗客に側方保持を与えるようになっている形式のものに関する。
【０００２】
【従来の技術】
頻繁に変化するカーブ又は高いカーブ速度に晒される車両又は航空機に組み込まれたシートは、これらのシート上で搬送される乗客に良好な保持を提供することが所望されている。
【０００３】
ドイツ連邦共和国特許第３４１７６１６号明細書から出発する車両用シートは、定置のシート部分支持部材若しくは背もたれ部分支持部材の設けられたシート部分と背もたれ部分とを有している。前記のシート部分支持部材及び背もたれ部分支持部材はシート部分カバー面若しくは背もたれ部分カバー面を越えて突出しており、このことは車両用シートに対して主として横方向で行われる乗客の着席を困難にする。
【０００４】
【発明が解決しようとする課題】
本発明の課題は、車両又は航空機等のためのシートにおいて、シートを利用する乗客が、それぞれ横方向加速時に模範的に支持されており且つ快適に腰掛けられるような予防措置を講じることである。
【０００５】
【課題を解決するための手段】
この課題を解決するために本発明では、シートのシート部分支持部材も背もたれ部分支持部材も調節可能に構成されているようにした。
【０００６】
【発明の効果】
本発明により主に得られる利点は、シート部分の調節可能なシート部分支持部材及び背もたれ部分の調節可能な背もたれ部分支持部材のおかげで、これらのシート部分支持部材及び背もたれ部分支持部材が設けられたシートが乗客それぞれに良好な側方支持を提供するだけでなく、これらの支持部材は、乗客にとって着席が容易な位置に動かせるという点に見られる。シート部分支持部材及び背もたれ部分支持部材は、乗客の異なる体の大きさに適合可能であるように構成することができる。背もたれ部分支持部材が背もたれ部分の長手方向で延びる旋回軸線を介して旋回可能であり、更に、該旋回軸線の長手方向で間隔をおいて配置されたヒンジに支承されていると、背もたれ部分支持部材の調節性は容易に実現可能である。背もたれ部分のくびれ及び背もたれ部分支持部材の切欠きは、旋回軸線を中心とした背もたれ部分支持部材の所期の運動性が保証されているということに寄与する。有利には、シート部分支持体の旋回軸線も水平方向に向いていてよく、シート部分の前方の、横方向で延在する制限部に対して比較的僅かな間隔をおいて配置することができる。最後に、シート部分に設けられた、シート長手方向調節用の調節レバー装置は、シートの構造簡略化及び人間工学的な操作に寄与する。
【０００７】
【発明の実施の形態】
以下に、本発明の実施の形態を図面につき詳しく説明する。
【０００８】
車両又は航空機等に組み込むために適したシート１は、適当な構造底部（図示せず）に長手方向でシフト可能に支承されている。このシート１は、互いに角度を成して配置されたシート部分２と背もたれ部分３とによって形成される。長手方向中心平面４の両側では、シート１若しくはシート部分２及び背もたれ部分３の長手方向側５，６にシート部分支持部材７，８若しくは背もたれ部分支持部材９，１０が設けられている。これらのシート部分支持部材７，８及び背もたれ部分支持部材９，１０は、シートを利用する乗客に、例えば方向転換及び相応に高い横方向加速値を伴うカーブ通過に際して側方保持を与える。シート部分支持部材７，８及び背もたれ部分支持部材９，１０はそれぞれ互いに独立して調節可能に構成されている。このためには、シート部分支持部材７，８はシート１に対して横方向で延びる旋回軸線１１を介して調節可能に構成されており、更に、当該シート部分支持部材７，８は、第１の沈み込んだ位置Ｓｖから第２の突出した位置Ｓａへ可動であり且つ逆に第２の位置Ｓａから第１の位置Ｓｖへ可動であるように構成されている。旋回軸線１１は、シート１若しくはシート部分２の前方の制限部１２に対して比較的僅かな間隔をおいて配置されており、ほぼ水平方向に向けられている。板状に構成されたシート部分支持部材７，８は、沈み込んだ位置Ｓｖにおいてシート部分２のシートクッション高さＳｋｈの範囲内に位置している、つまりシート部分支持部材７，８は、シート部分のシートクッションカバー面１３を越えて突出しないように調節されている。
【０００９】
背もたれ部分支持部材９，１０は、それぞれ背もたれ部分３の長手方向Ｂ−Ｂで該背もたれ部分の長手方向側１６，１７に沿って延びる旋回軸線１４，１５を介して調節可能である。このためには、背もたれ部分支持部材９，１０はそれぞれ、互いに間隔をおいて旋回軸線１４，１５に沿って配置されたヒンジ１８，１９；２０，２１に支承されている。背もたれ部分支持部材９，１０は、第１のフラットな位置Ｓｆと第２の直角な位置Ｓｗとの間で調節することができる。
【００１０】
背もたれ部分３は長手方向側１６，１７のヒンジ１８，１９；２０，２１間に、旋回軸線１４，１５から離反したくびれ２２，２３を有している。更に、背もたれ部分支持部材９，１０にはそれぞれヒンジ１８，１９；２０，２１間に、背もたれ部分３の長手方向側１６，１７に対して凹面の延在部を有する切欠き２４，２５が設けられている。
【００１１】
シート部分支持部材７，８及び背もたれ部分支持部材９，１０は、適当な装置を以て手動で調節することができるが、電気式、液圧式又は空圧式でも調節可能である。
【００１２】
シート部分２の、シート部分支持部材７，８間の長手方向中心平面４には、前方の制限部１２に向かって開いた切欠き２６が設けられている。この切欠き２６は、例えば客室内のシートの長手方向調節を遂行することのできる調節レバー２７を収容するために役立つ。この調節レバー２７は、操作部２８によって切欠き２６に全面的に沈められて収納されている。
【図面の簡単な説明】
【図１】本発明によるシートを走行方向で斜め上から見た図である。
【図２】図１に示したシートを走行方向とは逆の方向で斜め上から見た図である。
【図３】図１に示したシートを走行方向に対して横方向で斜め上から見た図である。
【符号の説明】
１  シート、  ２  シート部分、  ３  背もたれ部分、  ４  長手方向中心平面、  ５，６  長手方向側、  ７，８  シート部分支持部材、  ９，１０  背もたれ部分支持部材、  １１  旋回軸線、  １２  制限部、  １３  シートクッションカバー面、  １４，１５  旋回軸線、  １６，１７  長手方向側、  １８，１９，２０，２１  ヒンジ、  ２２，２３  くびれ、  ２４，２５，２６  切欠き、  ２７  調節レバー、  ２８  操作部
【図１】
0004968813.tif 000002
【図２】
0004968813.tif 000003
【図３】
0004968813.tif 000004